(57)【要約】【課題】アンテナリソースの追加を必要とすることなく、また、周波数利用効率を低下させることなく、セルエッジにいる端末装置のスループットを向上させること。【解決手段】基地局１００は、自セルに隣接するセルの基地局と協調してスケジューリングを行う。端末位置検出部１０７は、端末装置より取得した回線品質情報に基づいて、自セルのセルエッジに存在する端末装置及び隣接するセルを検出する。スケジューラ１０８は、回線品質情報に基づいて端末装置に周波数リソースまたは時間リソースを割り当てる。協調制御部１０９は、端末位置検出部１０７により検出した自セルのセルエッジに存在する端末装置に対して、スケジューラ１０８により割り当てた周波数リソースまたは時間リソースを、端末位置検出部１０７により検出した隣接するセルの基地局に通知することにより、隣接するセルの基地局に協調を要求する。【選択図】図３
2013126154.tif 000002
【特許請求の範囲】
【請求項１】
自セルに隣接するセルの基地局と協調してスケジューリングを行う基地局であって、
自セルのセルエッジに存在する端末装置及び前記隣接するセルを検出する検出手段と、
前記端末装置にリソースを割り当てる割当手段と、
前記検出手段により検出した前記自セルのセルエッジに存在する端末装置に対して前記割当手段により割り当てたリソースを、前記検出手段により検出した前記隣接するセルに通知することにより前記隣接するセルの基地局に協調を要求する制御手段と、
を具備する基地局。
【請求項２】
自セルに隣接するセルの基地局と協調してスケジューリングを行う基地局であって、
自セルの中央に存在する端末装置を検出する検出手段と、
前記隣接するセルが前記隣接するセルのセルエッジに存在する端末装置に割り当てたリソース情報を取得する取得手段と、
前記取得手段により取得した前記リソース情報のリソースと同一のリソースを、前記検出手段により検出した前記自セルの中央に存在する端末装置に割り当てる割当手段と、
前記自セルの中央に存在する端末装置に対する送信電力を減衰させる送信電力制御手段と、
前記割当手段により割り当てたリソースを用いて、前記送信電力制御手段により減衰させた送信電力で、前記自セルの中央に存在する端末装置に下りデータ信号を送信する送信手段と、
を具備する基地局。
【請求項３】
前記割当手段は、
前記リソース情報のリソースと同一のリソースが前記自セルの中央に存在する端末装置以外の端末装置に既に割り当てられている場合には、スケジューリングをやり直して前記自セルの中央に存在する端末装置に対して前記リソース情報のリソースと同一のリソースを割り当てる
請求項２記載の基地局。
【請求項４】
自セルに隣接するセルの基地局と協調してスケジューリングを行う基地局の協調方法であって、
自セルのセルエッジに存在する端末装置及び前記隣接するセルを検出するステップと、
前記端末装置にリソースを割り当てるステップと、
検出した前記自セルのセルエッジに存在する端末装置に対して割り当てた前記リソースを、検出した前記隣接するセルに通知することにより前記隣接するセルの基地局に協調を要求するステップと、
を具備する基地局の協調方法。
【請求項５】
自セルに隣接するセルの基地局と協調してスケジューリングを行う基地局の協調方法であって、
自セルの中央に存在する端末装置を検出するステップと、
前記隣接するセルが前記隣接するセルのセルエッジに存在する端末装置に割り当てたリソース情報を取得するステップと、
取得した前記リソース情報のリソースと同一のリソースを、検出した前記自セルの中央に存在する端末装置に割り当てるステップと、
前記自セルの中央に存在する端末装置に対する送信電力を減衰させるステップと、
割り当てた前記リソースを用いて、減衰させた前記送信電力で、前記自セルの中央に存在する端末装置に下りデータ信号を送信するステップと、
を具備する基地局の協調方法。
【発明の詳細な説明】
【技術分野】
【０００１】
本発明は、基地局間で協調してスケジューリングを行う基地局及び基地局の協調方法に関する。
【背景技術】
【０００２】
携帯電話システムは複数の基地局で構成されており、各基地局がカバーするエリアをセルと呼ぶ。セルの境界であるセルエッジに存在する端末装置では、通信中の基地局との距離が遠いために受信する電波の減衰が大きく、また、隣接する基地局からの電波によって干渉を受ける。そのため、セルエッジに存在する端末装置では、著しくスループットが低下してしまう。
【０００３】
このような問題に対して、隣接する複数の基地局が協調してセルエッジに存在する端末装置に送信を行うことにより、スループットの向上を図る基地局連携送信技術が検討されている。
【０００４】
基地局連携送信技術として、互いに直交した、各セルの中央の領域（エリア）で共通して使用できる周波数リソースグループと、セルエッジで使用できる周波数リソースグループとを用意するものが知られている（例えば、特許文献１）。特許文献１では、セルエッジで使用できる周波数リソースグループにおいて、複数の隣接基地局が協調し、ＲＢ（Resource Block）毎に最も高いスループットを実現できる基地局のみが優先的に周波数リソースを使用する。これにより、セルエッジにいる端末装置のスループットを改善する。
【０００５】
また、3GPP（3rd Generation Partnership Project）では、Joint Processingという方法が検討されている（例えば、非特許文献１）。図１は、Joint Processingによる基地局連携送信技術を示す図である。図１に示すように、Joint Processingでは、隣接する基地局Ａ及び基地局Ｂが協調して、セルエッジに居る一つの端末装置１０に対して同一の周波数リソースｆ１を用いて送信を行うことで、セルエッジにいる端末装置１０のスループットを改善する。この際、基地局Ｂは、自セル内に存在する端末装置１１及び端末装置１２に対して周波数リソースｆ１を割り当てることができない。従って、基地局Ｂは、端末装置１１及び端末装置１２に対しては周波数リソースｆ２の中から割り当てを行う。
【０００６】
また、3GPPでは、Coordinated Beam-formingという方法も検討されている（例えば、非特許文献１）。図２は、Coordinated Beam-formingによる基地局連携送信技術を示す図である。図２に示すように、Coordinated Beam-formingでは、協調する基地局Ａ及び基地局Ｂは、互いにセルエッジの端末装置２１及び端末装置２２に対する干渉を回避するように、エルエッジの端末装置２１及び端末装置２２に対してビームを向けることにより、セルエッジにいる端末装置２１及び端末装置２２のスループットを改善する。
【先行技術文献】
【特許文献】
【０００７】
【特許文献１】特開２０１０−１７８３３４号公報
【非特許文献】
【０００８】
【非特許文献１】３ＧＰＰ  ＴＳ３６．８１４
【発明の概要】
【発明が解決しようとする課題】
【０００９】
しかしながら、特許文献１では、協調する複数の基地局のうち、ひとつの基地局が一部のリソースを独占して使用することになり、周波数利用効率が低下するという問題がある。また、非特許文献１のJoint Processingにおいては、複数の基地局が一つの端末装置へ共通のリソースを割り当てるため、システムとしての周波数利用効率が低下するという問題がある。また、非特許文献１のCoordinated Beam-formingにおいては、ビーム形成のためにアンテナリソースの追加が必要であり、また、指向性制御のために端末装置から基地局へ多くの情報（例えば詳細な伝搬路特性情報）を通知しなければならないという問題がある。
【００１０】
本発明の目的は、ある基地局のセルエッジに存在する端末装置と、この基地局に隣接し、この基地局と協調する他の基地局のセルの中央に存在する端末装置とに対して共通のリソースを割り当て、セル中央に存在する端末装置への送信電力を小さくすることにより、アンテナリソースの追加を必要とすることなく、また、周波数利用効率を低下させることなく、セルエッジにいる端末装置のスループットを向上させることができる基地局及び基地局の協調方法を提供することである。
【課題を解決するための手段】
【００１１】
本発明の基地局は、自セルに隣接するセルの基地局と協調してスケジューリングを行う基地局であって、自セルのセルエッジに存在する端末装置及び前記隣接するセルを検出する検出手段と、前記端末装置にリソースを割り当てる割当手段と、前記検出手段により検出した前記自セルのセルエッジに存在する端末装置に対して前記割当手段により割り当てたリソースを、前記検出手段により検出した前記隣接するセルに通知することにより前記隣接するセルの基地局に協調を要求する制御手段と、を具備する構成を採る。
【００１２】
また、本発明の基地局は、自セルに隣接するセルの基地局と協調してスケジューリングを行う基地局であって、自セルの中央に存在する端末装置を検出する検出手段と、前記隣接するセルが前記隣接するセルのセルエッジに存在する端末装置に割り当てたリソース情報を取得する取得手段と、前記取得手段により取得した前記リソース情報のリソースと同一のリソースを、前記検出手段により検出した前記自セルの中央に存在する端末装置に割り当てる割当手段と、前記自セルの中央に存在する端末装置に対する送信電力を減衰させる送信電力制御手段と、前記割当手段により割り当てたリソースを用いて、前記送信電力制御手段により減衰させた送信電力で、前記自セルの中央に存在する端末装置に下りデータ信号を送信する送信手段と、を具備する構成を採る。
【００１３】
本発明の基地局の協調方法は、自セルに隣接するセルの基地局と協調してスケジューリングを行う基地局の協調方法であって、自セルのセルエッジに存在する端末装置及び前記隣接するセルを検出するステップと、前記端末装置にリソースを割り当てるステップと、検出した前記自セルのセルエッジに存在する端末装置に対して割り当てた前記リソースを、検出した前記隣接するセルに通知することにより前記隣接するセルの基地局に協調を要求するステップと、を具備するようにした。
【００１４】
また、本発明の基地局の協調方法は、自セルに隣接するセルの基地局と協調してスケジューリングを行う基地局の協調方法であって、自セルの中央に存在する端末装置を検出するステップと、前記隣接するセルが前記隣接するセルのセルエッジに存在する端末装置に割り当てたリソース情報を取得するステップと、取得した前記リソース情報のリソースと同一のリソースを、検出した前記自セルの中央に存在する端末装置に割り当てるステップと、前記自セルの中央に存在する端末装置に対する送信電力を減衰させるステップと、割り当てた前記リソースを用いて、減衰させた前記送信電力で、前記自セルの中央に存在する端末装置に下りデータ信号を送信するステップと、を具備するようにした。
【発明の効果】
【００１５】
本発明によれば、ある基地局のセルエッジに存在する端末装置と、この基地局に隣接し、この基地局と協調する他の基地局のセルの中央に存在する端末装置とに対して共通のリソースを割り当て、セル中央に存在する端末装置への送信電力を小さくすることにより、アンテナリソースの追加を必要とせず、また、周波数利用効率を低下させることなく、セルエッジにいる端末装置のスループットを向上させることができる。
【図面の簡単な説明】
【００１６】
【図１】Joint Processingによる基地局連携送信技術を示す図
【図２】Coordinated Beam-formingによる基地局連携送信技術を示す図
【図３】本発明の実施の形態に係る基地局の構成を示すブロック図
【図４】本発明の実施の形態に係る基地局の協調方法を示すシーケンス図
【図５】本発明の実施の形態における基地局が協調するシステムを示す図
【図６】本発明の実施の形態の変形例における基地局が協調を行うシステムを示す図
【発明を実施するための形態】
【００１７】
以下、本発明の実施の形態について、図面を参照して詳細に説明する。
【００１８】
（実施の形態）
＜基地局の構成＞
図３は、本発明の実施の形態に係る基地局１００の構成を示すブロック図である。
【００１９】
アンテナ１０１は、信号を受信してＲＦ部１０２に出力する。
【００２０】
ＲＦ部１０２は、アンテナ１０１から入力した受信信号をダウンコンバートするとともに同期処理してリソースデマッピング部１０３に出力する。なお、ＲＦ部１０２は、入力した信号がＯＦＤＭ信号である場合には、上記の処理に加えて、受信信号からガードインターバル（Guard Interval）を除去するとともに受信信号に対して高速フーリエ変換を施す。
【００２１】
リソースデマッピング部１０３は、ＲＦ部１０２から入力した受信信号から、ユーザ毎（端末装置毎）に周波数成分（サブキャリアまたはリソースブロック）を抜き出して復調部１０４に出力する。
【００２２】
復調部１０４は、ユーザ毎に抜き出した信号に対して復調処理を行って復調信号を生成し、生成した復調信号を誤り訂正復号部１０５に出力する。
【００２３】
誤り訂正復号部１０５は、復調部１０４から入力した復調信号を誤り訂正復号して復号データを取得し、取得した復号データを回線品質情報解読部１０６に出力する。更に、誤り訂正復号部１０５は、レートデマッチ機能も有する。
【００２４】
回線品質情報解読部１０６は、誤り訂正復号部１０５から入力した復号データに、端末装置から報告された回線品質情報が含まれている場合には、回線品質情報の解読を行う。回線品質情報解読部１０６は、解読結果を端末位置検出部１０７、スケジューラ１０８及び送信電力制御部１１０に出力する。ここで、回線品質情報を報告する端末装置は、端末装置が属するセルの回線品質情報に加えて、端末装置が属するセルに隣接する複数のセルの回線品質情報も報告する。
【００２５】
端末位置検出部１０７は、回線品質情報解読部１０６から入力した解読結果に基づいて、端末装置の位置を検出する。具体的には、端末位置検出部１０７は、自セルの品質が良くかつ隣接するセルの品質が悪い回線品質情報を報告してきた端末装置を、自セルの中央に存在する端末装置として検出する。また、端末位置検出部１０７は、自セルの品質が良くなくかつ自セルと同程度の品質の隣接セルの回線品質情報を報告してきた端末装置を、自セルのセルエッジに存在する端末装置として検出する。この際、端末位置検出部１０７は、自セルと同程度の品質の隣接セル、もしくは複数の隣接セルの中で最も品質の良い隣接セルを、協調すべき隣接セルとして検出する。ここで、回線品質情報の品質の良し悪しは、例えば、回線品質情報の品質測定値が閾値以上であれば品質が良いと判断し、回線品質情報の品質測定値が閾値未満であれば品質が悪いと判断する。
【００２６】
端末位置検出部１０７は、端末装置の位置の検出結果及び協調すべき隣接するセルを示す協調隣接セル情報を協調制御部１０９に出力する。
【００２７】
スケジューラ１０８は、回線品質情報解読部１０６から入力した解読結果、具体的には自セルの回線品質情報に基づいてスケジューリングを行う。スケジューラ１０８は、協調制御部１０９から再スケジューリングの指示を受けた場合には、スケジューリングをやり直す。スケジューラ１０８は、スケジューリングに応じて各端末装置にリソースを割り当てるように、リソースマッピング部１１４を制御する。
【００２８】
協調制御部１０９は、セルエッジに存在する端末装置の検出結果及び協調隣接セル情報が端末位置検出部１０７から入力した場合は、セルエッジに存在する端末装置のスケジュール情報をスケジューラ１０８から取得する。協調制御部１０９は、取得したスケジュール情報を含む協調リクエストを、協調隣接セル情報の隣接するセルの基地局に送信する。ここで、協調リクエストとは、自局と協調することを他局に要求する通知である。スケジュール情報には、セルエッジに存在する端末装置に割り当てられた周波数および時間のリソース割り当て情報が含まれる。
【００２９】
協調制御部１０９は、隣接するセルから協調リクエストを受信した場合には、端末位置検出部１０７から入力した検出結果より自セルの中央に存在する端末装置を選択する。協調制御部１０９は、選択した端末装置に協調リクエストで通知されたリソース割り当て情報の周波数および時間を割り当てるようにスケジューラ１０８に指示するとともに、選択した端末装置に対する送信電力を所定量小さくするように送信電力制御部１１０に指示する。この際、協調制御部１０９は、協調リクエストで通知されたリソース割り当て情報の周波数および時間が既に他の端末装置に割り当てられている場合は、リソース割り当て情報の周波数および時間が自セルの中央に存在する端末装置に割り当てられるように、スケジューリングのやり直しをスケジューラ１０８に指示する。協調制御部１０９は、協調リクエストの通知を受けたが、自セルの中央に端末装置が存在しない場合には、特に何も行わない。
【００３０】
送信電力制御部１１０は、自セルの中央に存在する端末装置に対する送信電力を小さくする指示を協調制御部１０９から受けた場合には、自セルの中央に存在する端末装置から報告された回線品質情報を回線品質情報解読部１０６から取得する。送信電力制御部１１０は、取得した自セルの回線品質情報に応じて送信電力の減推量を決定する。送信電力制御部１１０は、決定した減推量を、送信電力を減衰すべきユーザを指定する情報とともに、リソースマッピング部１１４に通知する。なお、送信電力制御部１１０は、協調制御部１０９から協調リクエストで通知されたリソース割り当て情報を取得し、取得したリソース割り当て情報と、決定した減衰量とを、リソースマッピング部１１４に通知してもよい。
【００３１】
送信データ生成部１１１は、上位レイヤにおいてペイロードデータまたは制御情報を生成して誤り訂正符号化部１１２に出力する。
【００３２】
誤り訂正符号化部１１２は、送信データ生成部１１１から入力したペイロードデータまたは制御情報に対して誤り訂正符号化を行って符号化データを生成し、生成した符号化データをデータ変調部１１３に出力する。なお、誤り訂正符号化部１１２は、レートマッチ機能も有する。
【００３３】
データ変調部１１３は、誤り訂正符号化部１１２から入力した符号化データを変調して変調信号を生成し、生成した変調信号をリソースマッピング部１１４に出力する。
【００３４】
リソースマッピング部１１４は、スケジューラ１０８におけるスケジューリングに基づいて、データ変調部１１３から入力した変調信号を、適切な周波数（サブキャリアまたはリソースブロック）および適切な時間にマッピングする。この際、リソースマッピング部１１４は、送信電力制御部１１０より送信電力を減衰する通知を受けた場合には、送信電力制御部１１０から通知されたユーザまたはリソースの変調信号の電力を、送信電力制御部１１０で決定した減衰量だけ減衰させてからマッピングする。リソースマッピング部１１４は、周波数および時間にマッピングした変調信号をＲＦ部１１５に出力する。
【００３５】
ＲＦ部１１５は、リソースマッピング部１１４から入力した信号をアップコンバートしてアンテナ１１６に出力する。なお、ＲＦ部１１５は、入力した信号がＯＦＤＭ信号である場合には、高速逆フーリエ変換処理及びガードインターバルの挿入を行う。
【００３６】
アンテナ１１６は、ＲＦ部１１５から入力した信号を送信する。
【００３７】
＜基地局の協調方法＞
図４は、基地局の協調方法を示すシーケンス図である。図５は、基地局が協調を行うシステムを示す図である。なお、図４及び図５において、基地局Ａ及び基地局Ｂは、図３の基地局１００と同一構成である。また、図４における基地局Ａ、基地局Ｂ、端末装置Ａ及び端末装置Ｂは、図５における基地局Ａ、基地局Ｂ、端末装置Ａ及び端末装置Ｂと各々同一である。
【００３８】
まず、基地局Ａは、自セルのエリア内に存在する端末装置Ａから回線品質情報を受信する（ステップＳＴ４０１）。この際、端末装置Ａは、基地局Ａ及び基地局Ｂから送信されたパイロット信号を定期的に受信し、受信結果から基地局Ａのセルの回線品質情報及び基地局Ｂのセルの回線品質情報を生成して、サービングセルの基地局Ａに報告する。ここで、パイロット信号は、例えばリファレンス信号、報知チャネルまたは同期用信号などである。また、サービングセルとは、端末装置Ａがキャンプオンしているセルまたは端末装置Ａが通信中のセルである。
【００３９】
また、基地局Ｂは、自セルのエリア内に存在する端末装置Ｂから回線品質情報を受信する（ステップＳＴ４０２）。この際、端末装置Ｂは、基地局Ａ及び基地局Ｂから送信されたパイロット信号を定期的に受信し、受信結果から基地局Ａのセルの回線品質情報及び基地局Ｂのセルの回線品質情報を生成して、サービングセルの基地局Ｂに報告する。
【００４０】
次に、基地局Ａは、端末位置検出部１０７において、端末装置Ａの位置を判定する（ステップＳＴ４０３）。
【００４１】
また、基地局Ｂは、端末位置検出部１０７において、端末装置Ｂの位置を判定する（ステップＳＴ４０４）。
【００４２】
次に、基地局Ａは、スケジューラ１０８において、ステップＳＴ４０１で受信した回線品質情報に基づいて、スケジューリングを行う（ステップＳＴ４０５）。このスケジューリングにより、端末装置Ａは、リソース＃５０１を割り当てられる（図５参照）。
【００４３】
また、基地局Ｂは、スケジューラ１０８において、ステップＳＴ４０２で受信した回線品質情報に基づいて、スケジューリングを行う（ステップＳＴ４０６）。
【００４４】
次に、基地局Ａは、端末位置検出部１０７において、端末装置Ａが自セルのセルエッジに存在するか否かを判定する（ステップＳＴ４０７）。
【００４５】
端末装置Ａがセルエッジに存在しないと判定した場合（ステップＳＴ４０７：Ｎｏ）には、基地局Ａは、ステップＳＴ４０５におけるスケジューリングに従って下りデータの送信を開始する（ステップＳＴ４０８）。
【００４６】
一方、端末装置Ａがセルエッジに存在すると判定した場合（ステップＳＴ４０７：Ｙｅｓ）には、協調制御部１０９において、協調すべき基地局Ｂを選択する（ステップＳＴ４０９）。
【００４７】
次に、基地局Ａは、選択した基地局Ｂに対して協調リクエストを送信し（ステップＳＴ４１０）、その後、ステップＳＴ４０５におけるスケジューリングに従って下りデータ信号の送信を開始する（ステップＳＴ４０８）。この際、協調リクエストには、端末装置Ａに割り当てた周波数および時間のリソース割り当て情報が含まれている。
【００４８】
基地局Ｂは、協調制御部１０９において、基地局Ａからの協調リクエストを受信し、端末位置検出部１０７において、端末装置Ｂが自セルの中央に存在するか否かを判定する（ステップＳＴ４１１）。
【００４９】
端末装置Ｂが自セルの中央に存在していないと判定した場合（ステップＳＴ４１１：Ｎｏ）には、基地局Ｂは、ステップＳＴ４０６におけるスケジューリングに従って下りデータ信号の送信を開始する（ステップＳＴ４１２）。
【００５０】
一方、端末装置Ｂが自セルの中央に存在していると判定した場合（ステップＳＴ４１１：Ｙｅｓ）には、基地局Ｂは、スケジューラ１０８において、ステップＳＴ４１０で受信した協調リクエストに含まれるリソース割当て情報の周波数および時間を端末装置Ｂに割り当てる（ステップＳＴ４１３）。これにより、端末装置Ｂは、リソース＃５０１と同一の周波数のリソース＃５０２が割り当てられる（図５参照）。
【００５１】
また、基地局Ｂは、協調制御部１０９に指示された送信電力制御部１１０において、端末装置Ｂに送信する下り送信データの送信電力を減衰させる（ステップＳＴ４１３）。これにより、リソース＃５０２の送信電力が減衰され、基地局Ｂが送信する下りデータ信号の電波は、基地局Ｂの中央エリアＥ１より外の範囲では電力が小さくなり、基地局Ｂのセルエッジまで到達しない。
【００５２】
上記のステップＳＴ４１３の処理により、端末装置Ａがリソース＃５０１とリソース＃５０２の両方のリソースを占有することがなく、リソース＃５０２を端末装置Ｂに割り当てることができ、周波数利用効率の低下を防ぐことができる。
【００５３】
基地局Ｂは、必要に応じて、協調応答を基地局Ａへ返し（ステップＳＴ４１４）、ステップＳＴ４１３で割り当てられたリソース及びステップＳＴ４１３で減衰された送信電力で下りデータ信号の送信を開始する（ステップＳＴ４１２）。
【００５４】
なお、図４及び図５において、各基地局のセルに１つの端末装置のみが存在する場合について説明したが、本発明はこれに限らず、各基地局のセルに複数の端末装置が存在してもよい。この場合には、各端末装置が回線品質情報を送信するとともに、回線品質情報に基づいてスケジューリングした結果に従って、基地局より各端末装置に対して下りデータ信号が各々送信される。また、各端末装置が回線品質情報を生成するセルの数は、２に限定されない。基地局Ａのセル及び基地局Ｂのセルの他にも隣接するセルが存在する場合、各端末装置は、それらの隣接するセルに関する回線品質情報の生成を行い、その結果をサービングセルの基地局に対して報告する。
【００５５】
＜本実施の形態の効果＞
本実施の形態によれば、ある基地局のセルエッジに存在する端末装置と、この基地局に隣接し、この基地局と協調する他の基地局のセルの中央に存在する端末装置とに対して共通のリソースを割り当て、セル中央に存在する端末装置への送信電力を小さくする。即ち、複数の基地局のリソースを１つの端末装置が占有しないようにする。これにより、アンテナリソースの追加を必要とすることなく、また、周波数利用効率を低下させることなく、セルエッジにいる端末装置のスループットを向上させることができる。
【００５６】
また、本実施の形態によれば、ビーム形成を行わないことにより、端末装置からのフィードバック情報（例えば伝播特性情報）を不要にすることができる。
【００５７】
＜本実施の形態の変形例＞
本実施の形態において、協調する基地局の数は２つにしたが、本発明はこれに限らず、協調する基地局の数は３つ以上であってもよい。
【００５８】
図６は、本実施の形態に変形例における基地局が協調を行うシステムを示す図である。なお、図６において、図５と同一構成である部分には同一符号を付して、その説明を省略する。また、図６において、基地局Ａ〜基地局Ｃは、図３の基地局１００と同一構成を有する。
【００５９】
図６に示すように、例えば基地局Ａ〜基地局Ｃの３つの基地局が協調してもよい。図６の場合、基地局Ｂに加えて基地局Ｃは、スケジューラ１０８において基地局Ａからの協調リクエストに含まれるリソース割り当て情報のリソース＃６０１を端末装置Ｃに割り当てる。また、基地局Ｃは、送信電力制御部１１０において端末装置Ｃに送信する下り送信データ信号の送信電力を減衰させる。
【００６０】
＜本実施の形態における他の変形例＞
本実施の形態において、回線品質情報を用いて端末装置の位置を判定したが、本発明はこれに限らず、端末装置がＧＰＳなどの衛星からの送信電波または固定局からの送信電波を用いて検出した位置情報を端末装置から基地局に報告し、基地局がこの位置情報に基づいて端末装置の位置を判定してもよい。また、基地局は、端末装置から受信した既知信号に基づいて、端末装置との間の伝搬特性を推定し、推定した伝搬特性に基づいて各端末装置の位置を推定してもよい。例えば、基地局は、受信アンテナ毎の伝播特性の差を用いて到来方向を推定し、更に受信電力および受信タイミングのいずれか若しくは両方に基づいて端末装置との距離を推定することにより、各端末装置の位置を推定してもよい。
【産業上の利用可能性】
【００６１】
本発明にかかる基地局及び基地局の協調方法は、基地局間で協調してスケジューリングを行うのに好適である。
【符号の説明】
【００６２】
１００  基地局
１０１、１１６  アンテナ
１０２、１１５  ＲＦ部
１０３  リソースデマッピング部
１０４  復調部
１０５  誤り訂正復号部
１０６  回線品質情報解読部
１０７  端末位置検出部
１０８  スケジューラ
１０９  協調制御部
１１０  送信電力制御部
１１１  送信データ生成部
１１２  誤り訂正符号化部
１１３  データ変調部
１１４  リソースマッピング部
【図１】
2013126154.tif 000003
【図２】
2013126154.tif 000004
【図３】
2013126154.tif 000005
【図４】
2013126154.tif 000006
【図５】
2013126154.tif 000007
【図６】
2013126154.tif 000008